(57)【要約】【課題】ルーフドレインのドレイン受皿を、通水口を備えたカバー体で囲繞して、該通水口によってドレイン受皿内に流入する雨水量を制限するようにしたル−フドレインの過流防止装置にあって、構造をシンプルにすることによって、製作が容易でコストを低減し得るとともに、全ての施工現場に適用可能な汎用性を備えた過流防止装置を提供する。【解決手段】通水口１７を、カバー体１４の下端部から上方に亘って延在するスリット状開口１８とし、かつ屋上床面ｆに貯留される雨水の水位の上昇に応じて有効通水領域が増加する関係を維持するように、前記スリット状開口１８の開口幅を３〜５１ｍｍに設定した。【選択図】図１
0003131111.tif 000002
【実用新案登録請求の範囲】
【請求項１】
ドレイン受皿と該ドレイン受皿に連成された排水管部とを備え、屋上床面に配設されるルーフドレインの、そのドレイン受皿を、通水口を備えたカバー体で囲繞して、該通水口によってドレイン受皿内に流入する雨水量を制限するようにした過流防止装置において、
前記通水口が、カバー体の下端部から上方に亘って延在する単一または複数のスリット状開口であり、かつ屋上床面に貯留される雨水の水位の上昇に応じて有効通水領域が増加する関係を維持するように、前記スリット状開口の開口幅が３〜５１ｍｍに設定されていることを特徴とするル−フドレインの過流防止装置。
【請求項２】
スリット状開口の総開口幅が１５〜５１ｍｍに設定されて、該スリット状開口から流入する最大雨水量が７リットル/秒以下となるように設けられていることを特徴とする請求項１記載のル−フドレインの過流防止装置。
【考案の詳細な説明】
【技術分野】
【０００１】
本考案は、ルーフドレインの流量制限に用いられる過流防止装置に関する。
【背景技術】
【０００２】
集中豪雨或は台風等で、その地域の下水本管の許容流量を越える大量の降雨があった場合に、周囲の建物の屋上床面からルーフドレインに流入する雨水量を制限し、一時的に屋上床面に雨水を貯留して下水本管への流出を遅らせるルーフドレイン用の過流防止装置が知られている。
【０００３】
かかる過流防止装置にあって、従来の一般的な過流防止装置ａは、図６に示すように、屋上床面ｆに配設されたルーフドレインｂのドレイン受皿ｃを囲繞する所要高さのカバー体ｄを備えており、該カバー体ｄの下部に、ドレイン受皿ｃ内への雨水の流入量を制限する通水口ｅが形成されている。ここで、該カバー体ｄの高さは、その設置場所において一時的に貯留可能な雨水の水位に応じて設定され、また、通水口ｅの広さは、ドレイン受皿ｃに流入する雨水を所定の流量に制限し得る広さに設定されている。
【０００４】
また、このような過流防止装置ａにあって、前記通水口ｅに、その開口度を調整可能なスライド蓋を設けたものも本願出願人によって先に提案されている（特許文献１参照）。
【０００５】
一方、多階層住宅等の建物に設置される中継用ドレイン装置にあっては、図７に示すように、各階のバルコニーやベランダ（以下、これらを「バルコニー等」という）の床ｐに挿通される排水管部ｊを下方に連成したドレイン受皿ｈ上に、外周に通水孔ｋを多数形成したストレーナｍを乗載してなる中継用ドレインｇを、各階の床ｐ毎に上下で一致する位置に配設するとともに、縦樋管ｎを、その上端を上階側のドレイン受皿ｈの排水管部ｊに嵌装し、下端を下階側の中継用ドレインｇのストレーナｍ内に挿入した状態で、各階の中継用ドレインｇ，ｇ間に垂直に差し渡して構成されている（例えば、特許文献２参照）。そして、各階において床ｐ上の雨水をストレーナｍから当該階のドレイン受皿ｈ内に流入させて排水管部ｊから縦樋管ｎへ排水するとともに、上階の中継用ドレインｇから縦樋管ｎを通って流下する雨水を下階の中継用ドレインｇのストレーナｍ内で一旦放出した後、ドレイン受皿ｈ内に流入させることによって、当該階の雨水に合流させて縦樋管ｎで順次下階へ送るようになっている。
【特許文献１】特開２００２−２４２３８６号公報
【特許文献２】特開２００５−１４６５８１号公報（段落０００２、図７）
【考案の開示】
【考案が解決しようとする課題】
【０００６】
ところで、従来の一般的な過流防止装置ａにあっては、カバー体ｄの高さ寸法及び通水口ｅの広さ寸法が施工現場毎に異なるため、受注時に各寸法の指示を受け、該指示寸法に従ってその都度製作しなければならなかった。このため、生産性が悪く、納品までに時間を要するといった問題点があった。
【０００７】
また、カバー体ｄの下部に開口されている通水口ｅの開口面積が一定であり、屋上床面ｆに貯留される雨水により通水口ｅが水没した状態となっても、雨水の水位の上昇に応じて、その開口面積を自動的に増加させることができなかった。このため、激しい降雨時にあって、通水口ｅを通過する流量よりもルーフドレインｂの周囲に集まる雨水量が多い場合には、雨水の水位の上昇を止めることができず、カバー体ｄの上端からオーバーフローした雨水がカバー体ｄ内に直接流入することとなり、この時、雨水中に木の葉やゴミ等が混入していると、ルーフドレインｂが詰まり、その排水機能に支障を来すという問題点があった。
【０００８】
一方、通水口ｅに、その開口度を調整可能なスライド蓋を設けたものにあっては、通水口ｅが、受注生産で想定される最大指示寸法に対応し得る必要かつ十分な広さに形成される一方、スライド蓋は、通水口ｅの両側に配設された摺動ガイドに両側縁を嵌挿させて昇降可能に設けられ、該スライド蓋を固定螺子で任意の位置に固定し得るように構成されており、スライド蓋の昇降操作を介して通水口ｅの開口度を調整することによって、全ての施工現場に適用可能な流量調整機能を具備するものとなっているが、通水口ｅの開口度の調整は、施工時において施工業者が行うため、その開口度の調整が必ずしも適正に行われるとは限らず、開口度が設置場所における適正な開口度より大きすぎると過流防止作用が損なわれる一方、開口度が小さすぎると、開口面積が一定の上述した通水口ｅと同様に雨水の水位の上昇を止めることができず、カバー体ｄの上端からオーバーフローした雨水がカバー体ｄ内に直接流入することによる前記不具合が同様に生じるという問題点があった。
【０００９】
また、スライド蓋を必要とする上、通水口ｅの両側にスライド蓋の両側縁を昇降可能に支持する摺動ガイドを設けたり、スライド蓋に任意の位置で固定可能な固定螺子を設けたりしなければならないため、製作に手間が掛かり、コスト高となるという問題点があった。
【００１０】
さらに、多階層住宅等の建物の屋上を除く各階のバルコニー等に設置される中継用ドレイン装置にあっては、上階から縦樋管ｎを通って流下する雨水を下階の中継用ドレインｇのストレーナｍ内で一旦放出した後、ドレイン受皿ｈ内に流入させることによって、当該階の雨水に合流させて縦樋管ｎで順次下階へ送るようになっているが、豪雨時に屋上床面ｆのルーフドレインｂから縦樋管ｎに大量の雨水が流入すると、ストレーナｍ内で一旦放出された雨水がドレイン受皿ｈを介して下階への縦樋管ｎに送られる際に、該雨水が空気を巻き込んで縦樋管ｎ内に流入し、雨水の激しい乱流によって縦樋管ｎ内で雨水と空気とが混じり合って多量の気泡が発生する。このため、縦樋管ｎ内での雨水の体積が増加して流れが悪くなるとともに、縦樋管ｎ内で集まった気泡が空気の塊となって上方に浮き上がって、ドレイン受皿ｈから流入する雨水を押し戻す作用が生じる。そして、屋上床面ｆのルーフドレインｂから縦樋管ｎに流入する雨水が３リットル/秒を越える当りで、雨水が下階の中継用ドレインｇのストレーナｍの通水孔ｋから噴き出すという雨水の噴き出し現象が発生し始め、屋上床面ｆのルーフドレインｂから縦樋管ｎに流入する雨水が７リットル/秒を越えると、中継用ドレイン装置において、その雨水の噴き出し現象が極めて激しくなるという問題点があった。
【００１１】
本考案は、かかる従来の問題点を解消し得るル−フドレインの過流防止装置を提供することを目的とするものである。
【課題を解決するための手段】
【００１２】
本考案は、ドレイン受皿と該ドレイン受皿に連成された排水管部とを備え、屋上床面に配設されるルーフドレインの、そのドレイン受皿を、通水口を備えたカバー体で囲繞して、該通水口によってドレイン受皿内に流入する雨水量を制限するようにした過流防止装置において、前記通水口が、カバー体の下端部から上方に亘って延在する単一または複数のスリット状開口であり、かつ屋上床面に貯留される雨水の水位の上昇に応じて有効通水領域が増加する関係を維持するように、前記スリット状開口の開口幅が３〜５１ｍｍに設定されていることを特徴とするル−フドレインの過流防止装置である。
【００１３】
ここで、通水口の有効通水領域とは、通水口の全開口領域において、水位に応じて雨水が実際に通過する部分の開口領域のことである。また、屋上床面に貯留される雨水の水位の上昇に応じて有効通水領域が増加する関係を維持するとは、水位が上昇しても通水口の上部が水没せず、通水口の上部に水没していない通水可能な開口領域が常に存在する状態を意味する。
【００１４】
また、上記過流防止装置にあって、スリット状開口の総開口幅が１５〜５１ｍｍに設定されて、該スリット状開口から流入する最大雨水量が７リットル/秒以下となるように設けられている構成が提案される。
【００１５】
ここで、スリット状開口から流入する最大雨水量７リットル/秒は、中継用ドレイン装置における激しい雨水の噴き出し現象を抑制し得る、実験データから得られた一秒当りの流入雨水量である。さらに、通水口は、単一のスリット状開口として、または複数のスリット状開口として形成可能であり、複数のスリット状開口を形成した場合には、各スリット状開口の開口幅を合計したものがスリット状開口の総開口幅となる。
【考案の効果】
【００１６】
本考案は、上述したように、通水口が、カバー体の下端部から上方に亘って同一幅で延在する単一または複数のスリット状開口であり、かつ屋上床面に貯留される雨水の水位の上昇に応じて有効通水領域が増加する関係を維持するように、前記スリット状開口の開口幅が３〜５１ｍｍに設定されているので、カバー体に形成されたスリット状開口によって雨水の通過量が制限され、豪雨時に雨水を屋上床面に貯留することができる。そして、屋上床面に貯留される雨水の水位が上昇しても、スリット状開口からなる通水口の有効通水領域が水位の上昇に応じて増加するため、常に通水口から雨水を流入させることができる。即ち、水位が高くなると通水口の有効通水領域が拡大して、その分多くの雨水を流すことができる。これにより、従来のように雨水がカバー体の上端からオーバーフローすることがなく、オーバーフローした雨水に混入している木の葉やゴミ等によってルーフドレインが詰まることに起因する排水機能の低下を確実に防止することができる。
【００１７】
また、このようなスリット状開口を、カバー体の下端部から上方に亘って延在させて形成したので、構造がシンプルであり、製作が容易でコストを低減し得るとともに、全ての施工現場に適用可能な汎用性を得ることができる。また、受注してから指示寸法に従って製作する従来の製作方法に代えて、予め、同一製品を大量生産することが可能であるため、生産性がよく、納期を大幅に短縮することができる。
【００１８】
さらに、スリット状開口の開口幅を３〜４ｍｍ程度の狭幅とすれば、濾過作用が得られるので、ルーフドレインに付設されるストレーナを不要にすることができる。
【００１９】
また、スリット状開口の総開口幅を１５〜５１ｍｍに設定し、このスリット状開口から流入させる最大雨水量が７リットル/秒以下となるようにしたので、屋上床面のルーフドレインから縦樋管に流入する雨水が７リットル/秒を越えると顕著になる、中継用ドレイン装置における雨水の激しい噴き出し現象を抑制することができる。
【考案を実施するための最良の形態】
【００２０】
本考案にかかるル−フドレインの過流防止装置は、図１に示すように、ドレイン受皿３と該ドレイン受皿３に連成された排水管部５とを備え、屋上床面ｆに配設されるルーフドレイン１の、そのドレイン受皿３を、通水口１７を備えたカバー体１４で囲繞して、該通水口１７によってドレイン受皿３内に流入する雨水量を制限するようにした過流防止装置１３にあって、前記通水口１７が、カバー体１４の下端部から上方に亘って延在するスリット状開口１８であり、かつ屋上床面ｆに貯留される雨水の水位の上昇に応じて有効通水領域が増加する関係を維持するように、前記スリット状開口１８の開口幅が３〜５１ｍｍに設定されている。
【００２１】
以下に、本考案の一実施例を、図１〜図４に基づいて説明する。
この実施例における過流防止装置１３は、縦引き排水用のルーフドレイン１に適用し得るように構成されている。図１に示すように、ルーフドレイン１のドレイン本体２は、円形のドレイン受皿３と、該ドレイン受皿３の中央に開口された排水孔４を囲繞するようにして下方に連成された排水管部５とを備えており、屋上床面ｆに埋設施工されている。ここで、屋上床面ｆには、ドレイン受皿３に向けて下方傾斜する排水用勾配が設けられており、該排水用勾配によって雨水をドレイン受皿３に導き得るようになっている。尚、該排水用勾配は通常1/120の斜度に設定される。前記ドレイン受皿３の上面には、屋上床面ｆ上に敷設されるシート防水層（図示省略）の縁部を挟持する防水層押え盤６が、ドレイン受皿３に立設された螺子杆７ａと、該螺子杆７ａに螺装されるナット７ｂとによって固定されており、該防水層押え盤６上に多数の狭幅状通水間隙９を備えたストレーナ８が配設されている。該ストレーナ８は、その下部鍔縁１０を螺子１１によって防水層押え盤６に固定することにより、該防水層押え盤６を介してドレイン本体２に被着されている。
【００２２】
ドレイン本体２の排水管部５には、該排水管部５に上端を螺着させることによって縦樋管１２が接続されている。これにより、周囲の屋上床面ｆからストレーナ８の狭幅状通水間隙９を介してドレイン受皿３内に流入する雨水を排水孔４から縦樋管１２に流し込んでその排水を行い得るようになっている。
【００２３】
一方、過流防止装置１３は、前記ドレイン受皿３を囲繞する円筒状のカバー体１４を備えている。該カバー体１４には、図２，図３に示すように、その内周面の下部位置に内方に向けて水平状に延出する複数の固定用ブラケット１５が周方向に等間隔で配設されており、図１に示すように、各固定用ブラケット１５に挿通した前記螺子杆７ａに螺装される上下一対のナット１６ａ，１６ｂの緊締作用によりカバー体１４がドレイン受皿３に固定されている。このカバー体１４及び固定用ブラケット１５の材質には、アルミニウム，ステンレス等の耐腐食性金属や、ポリプロピレン樹脂，塩化ビニル樹脂等の硬質合成樹脂が用いられ得る。
【００２４】
尚、ルーフドレイン１は呼称１００ｍｍの縦樋管１２に適用し得る寸法に形成されており、カバー体１４は該ルーフドレイン１のドレイン受皿３の外周縁部に乗載された状態でドレイン受皿３を囲繞し得るように直径１９５ｍｍ程度に設定されている。また、カバー体１４の高さは、従来の受注製作において想定される最大指示寸法に基づいて高さ２６０ｍｍ程度に設定されている。
【００２５】
前記カバー体１４には、単一または複数の通水口１７が開口される。該通水口１７は、図２に示すように、カバー体１４の下端部から上方に亘って同一幅で延在するスリット状開口１８として形成され、その開口幅は３〜５１ｍｍに設定される。ここで、スリット状開口１８の開口幅が狭い場合には複数とすることが好ましく、逆に開口幅が広い場合は単一とすることが好ましい。
【００２６】
この実施例では、高さ２２０ｍｍ程度，開口幅５〜１７ｍｍのスリット状開口１８が、図３に示すように、周方向に等間隔で３つ形成されている。そして、このように、３つのスリット状開口１８の開口幅を合計した総開口幅を１５〜５１ｍｍとすることにより、３つのスリット状開口１８から流入する最大雨水量が７リットル/秒以下となるようにしている。また、上述したように各スリット状開口１８の高さを２２０ｍｍ程度とすることにより、屋上床面ｆに貯留される雨水の水位の上昇に応じて通水口１７の有効通水領域が増加する関係を維持するようになっている。即ち、水位が上昇しても各通水口１７の上部が水没せず、各通水口１７の上部に水没していない通水可能な開口領域が常に存在する状態が維持されるようになっている。
【００２７】
また、各通水口１７の下部には、カバー体１４の形状を保持するための非開口部１９が１０ｍｍ程度の上下幅で設けられており、さらに、該非開口部１９の下部でカバー体１４の下縁には、高さ５ｍｍ，幅３０ｍｍ程度の通水用の切欠溝２０が形成されている。
【００２８】
図４は、３つのスリット状開口１８の開口幅を夫々５ｍｍ，８ｍｍ，１１ｍｍ，１４ｍｍ，１７ｍｍに設定して製作した５種類の過流防止装置１３を用いて、ルーフドレイン１の過流防止実験を行って、カバー体１４の周囲の水深と流入量との関係を調べた結果を示す図表である。ここで、水位が上昇しても各通水口１７の上部が水没せず、各通水口１７の上部に水没していない通水可能な開口領域が常に存在する状態として、水位が通水口１７の開口高さ２２０ｍｍに近い２００ｍｍに達した場合の各スリット状開口１８からの流入量を見ると、開口幅が最小の５ｍｍ（総開口幅１５ｍｍ）のものでは流入量が２．９リットル/秒となっており、開口幅が８ｍｍ，１１ｍｍ，１４ｍｍと広くなるに従って流入量が順次増大していき、開口幅が最大の１７ｍｍ（総開口幅５１ｍｍ）のものでは流入量が７リットル/秒となっている。このことから、開口幅を５ｍｍ（総開口幅１５ｍｍ）に設定すれば、スリット状開口１８から流入する最大雨水量が２．９リットル/秒以下で、屋上床面ｆに貯留される雨水の水位の上昇に応じて通水口１７の有効通水領域が増加する関係を維持することができ、開口幅を１７ｍｍ（総開口幅５１ｍｍ）に設定すれば、スリット状開口１８から流入する最大雨水量が７リットル/秒以下で、屋上床面ｆに貯留される雨水の水位の上昇に応じて通水口１７の有効通水領域が増加する関係を維持することができることが判る。
【００２９】
そして、上記の結果から、開口幅を５ｍｍ（総開口幅１５ｍｍ）に設定すれば、スリット状開口１８から流入する最大雨水量が２．９リットル/秒以下となるため、屋上床面ｆのルーフドレイン１から縦樋管１２に流入する雨水が３リットル/秒を越えると発生し始める、中継用ドレイン装置における雨水の噴き出し現象を防止することができ、開口幅を１７ｍｍ（総開口幅５１ｍｍ）に設定すれば、スリット状開口１８から流入する最大雨水量が７リットル/秒以下となるため、中継用ドレイン装置における雨水の激しい噴き出し現象を抑制できることが知得される。
【００３０】
上述したように、本考案によれば、スリット状開口１８の開口幅が３〜５１ｍｍに設定されていることにより、豪雨時に各スリット状開口１８を通過する雨水量が制限され、屋上床面ｆに雨水を貯留することができる。そして、屋上床面ｆに貯留される雨水の水位が上昇しても、スリット状開口１８からなる通水口１７の有効通水領域が水位の上昇に応じて増加するため、常に通水口１７から雨水を流入させることができる。即ち、水位が高くなると通水口１７の有効通水領域が拡大して、その分多くの雨水を流すことができる。これにより、従来のように雨水がカバー体１４の上端からオーバーフローすることがなく、オーバーフローした雨水に混入している木の葉やゴミ等によってルーフドレイン１が詰まることに起因する排水機能の低下を確実に防止することができる。
【００３１】
また、スリット状開口１８の開口幅を３〜４ｍｍ程度の狭幅とすれば、濾過作用が得られるので、ルーフドレイン１に付設されるストレーナ８を不要にすることができる。
【００３２】
また、スリット状開口１８の総開口幅を１５〜５１ｍｍに設定し、このスリット状開口から流入させる最大雨水量が７リットル/秒以下となるようにすれば、屋上床面ｆのルーフドレイン１から縦樋管１２に流入する雨水が７リットル/秒を越えると顕著になる、中継用ドレイン装置における雨水の激しい噴き出し現象を抑制することができる。
【００３３】
さらに、このようなスリット状開口１８を、カバー体１４の下端部から上方に亘って延在させて形成したので、構造がシンプルであり、製作が容易でコストを低減し得るとともに、全ての施工現場に適用可能な汎用性を得ることができる。また、受注してから指示寸法に従って製作する従来の製作方法に代えて、予め、同一製品を大量生産することが可能であるため、生産性がよく、納期を大幅に短縮することができる。
【００３４】
尚、上記実施例では、スリット状開口１８を、カバー体の下端部から上方に亘って同一幅で延在させて形成しているが、これ以外に、図５に示すように、縦長のスリット状開口１８の幅を途中で変えるようにすることも可能である。また、上記実施例では、通水口１７を構成するスリット状開口１８を３つ設けているが、該スリット状開口１８の数は３つに限定されるものではなく、１つ又は２つ或いは４つ以上の複数であってもよい。また、上記実施例では、縦引き排水用のルーフドレイン１に適用し得るように構成した過流防止装置１３を示したが、該過流防止装置１３は、横引き排水用のルーフドレインに適用し得るように構成することも可能である。
【図面の簡単な説明】
【００３５】
【図１】本考案にかかる過流防止装置１３の施工状態を示す縦断側面図である。
【図２】同上の過流防止装置１３の縦断面図である。
【図３】同上の過流防止装置１３の横断面図である。
【図４】カバー体１４の周囲の水深と流入量との関係を調べた結果を示す図表である。
【図５】スリット状開口１８の幅を途中で変えた過流防止装置１３の縦断面図である。
【図６】従来構成の過流防止装置ａの施工状態を示す縦断面図である。
【図７】中継用ドレイン装置の施工状態を示す縦断面図である。
【符号の説明】
【００３６】
１  ルーフドレイン
３  ドレイン受皿
５  排水管部
１３  過流防止装置
１４  カバー体
１７  通水口
１８  スリット状開口
ｆ  屋上床面
【図１】
0003131111.tif 000003
【図２】
0003131111.tif 000004
【図３】
0003131111.tif 000005
【図４】
0003131111.tif 000006
【図５】
0003131111.tif 000007
【図６】
0003131111.tif 000008
【図７】
0003131111.tif 000009